(57)【要約】【課題】埋め込みスペースの有効利用、更には、電気錠施解錠制御の仲介以外の新規な機能を発揮することのできる電気錠アダプターを提供する。【解決手段】壁面より露出して設置される本体部７の表面７ｄには、操作釦ｂ１を設け、本体部７には、電気錠操作制御器との間で、電源供給を受けるとともに、制御信号を送受する伝送信号送受信回路と、電気錠ユニットの電気錠駆動手段を作動させるための駆動信号制御回路と、操作釦ｂ１の操作によって、駆動信号制御回路を作動制御する制御信号処理部とを備える。【選択図】図１
2004353189.tif 000002
【特許請求の範囲】
【請求項１】
電気錠ユニットと、電気錠操作制御器との間に介在されて、電気錠操作制御器から電源と、制御信号とを受けて、電気錠ユニットを施錠、解錠させるとともに、電気錠ユニットから施錠、解錠検知信号を受けて、電気錠操作制御器に返信するための電気錠アダプターにおいて、
壁面より露出して設置される本体部の表面には、操作釦を設け、
本体部には、上記電気錠操作制御器との間で、電源供給を受けるとともに、制御信号を送受する伝送信号送受信回路と、
上記電気錠ユニットの電気錠駆動手段を作動させるための駆動信号制御回路と、
上記操作釦の操作によって、上記駆動信号制御回路を作動制御する制御信号処理部とを備えたことを特徴とする、電気錠アダプター。
【請求項２】
請求項１において、
上記本体部の表面には、電気錠制御表示部を更に設け、
上記本体部は、上記電気錠ユニットの電気錠から状態変化信号を受ける電気錠状態検出回路を更に設けており、
上記制御信号処理部は、上記電気錠状態検出回路からの状態変化信号に応じて、上記電気錠制御表示部を表示制御することを特徴とする、電気錠アダプター。
【請求項３】
請求項１または２において、
上記電気錠制御表示部は、電気錠の施錠、解錠表示に加えて、扉の開閉表示をなす、電気錠アダプター。
【請求項４】
請求項１〜３において、
上記電気錠操作制御器に２線式信号線を通じて接続されて、電源供給を受けるとともに、制御に必要な制御信号を送受する構成とされており、
上記電気錠ユニットとは、６線ないし７線式信号線を通じて接続されている、電気錠アダプター。
【請求項５】
請求項１〜４のいずれかにおいて、
上記電気錠ユニットは、ソレノイドあるいはモータを駆動源とした電気錠を備えている電気錠アダプター。
【請求項６】
室内などに設置される電気錠操作制御器と、玄関先の門扉などに設置される電気錠ユニットとを、請求項１〜５のいずれかに記載の電気錠アダプターを介在させて接続している電気錠施解錠制御システム。
【発明の詳細な説明】
【０００１】
【発明の属する技術分野】
本発明は、一般家屋などで用いられる電気錠アダプターおよび電気錠施解錠制御システムに関する。
【０００２】
【従来の技術】
従来より、一般家屋などにおいては、電気錠アダプタは、図４に示すような態様で用いられ、電気錠操作制御器１００、電気錠操作制御器１００から電源供給を受けて動作する電気錠アダプタ２００、電気錠３００とで構成されており、電気錠アダプタ２００を介在させることで、６線式の電気錠３００と２線式の電気錠操作制御器１００とを接続できるようにしている。
【０００３】
このものは、電気錠操作制御器１００の施錠解錠釦ｂを操作すると、電気錠駆動信号が２線式信号線Ｌ１を通じてアダプタ２００に送出され、アダプタ２００からは６線式に対応した電気錠駆動信号が６線式信号線Ｌ２を通じて電気錠３００に送出され、電気錠３００が施解錠される。そして、電気錠３００からは施解錠完了信号がアダプタ２００に送出され、アダプタ２００からは状態変換信号が操作器１００に送出されて、操作器１００の表示ランプＲにて施解錠表示がなされる。
【０００４】
【特許文献１】
特開平１０−３２５２７１号公報
【０００５】
【発明が解決しようとする課題】
ところで、このような電気錠アダプタは、本体部が単純な直方体であって、これを天井や壁内にころがして配置していた。従って、電気錠アダプタの保守を行う場合には、天井や壁内から引っ張り出して点検する必要があり、保守に時間と労力とを要する問題点があった。
【０００６】
そこで、本発明者らは、上記特許文献１において、保守を容易とすべく、埋め込みボックスを壁面内に埋め込み設置して、取付枠を介して埋め込みボックスに本体部を固定させることによって、保守の際に電気錠アダプタを素早く見つけ、その本体部を取り出し、保守を容易とした電気錠アダプターを提案しているが、本体部表面には何もついておらず、電気錠アダプタを埋め込むスペースの有効利用ができないか、あるいは、これ以上の有効利用ができないかを考え、本発明を想到するに至った。
【０００７】
すなわち、本発明は、電気錠アダプタの保守点検の利便性を考慮するのみならず、埋め込みスペースの有効利用、更には、電気錠施解錠制御の仲介以外の新規な機能を発揮することのできる電気錠アダプター、及び、これを使用した電気錠施解錠制御システムを提案することを目的とする。
【０００８】
【課題を解決するための手段】
上記目的を達成するために、本発明の請求項１に記載の電気錠アダプターでは、壁面より露出して設置される本体部の表面には、操作釦を設け、本体部には、上記電気錠操作制御器との間で、電源供給を受けるとともに、制御信号を送受する伝送信号送受信回路と、電気錠ユニットの電気錠駆動手段を作動させるための駆動信号制御回路と、操作釦の操作によって、上記駆動信号制御回路を作動制御する制御信号処理部とを備えたことを特徴とする。
【０００９】
請求項２に記載の電気錠アダプターでは、本体部の表面には、電気錠制御表示部を更に設け、本体部は、電気錠ユニットの電気錠から状態変化信号を受ける電気錠状態検出回路を更に設けており、制御信号処理部は、操作釦の操作によって、電気錠状態検出回路からの状態変化信号に応じて、電気錠制御表示部を表示制御することを特徴とする。
【００１０】
請求項３に記載の電気錠アダプターでは、電気錠制御表示部は、電気錠の施錠、解錠表示に加えて、扉の開閉表示をなす。
【００１１】
請求項４に記載の電気錠アダプターでは、電気錠操作制御器に２線式信号線を通じて接続されて、電源供給を受けるとともに、制御に必要な制御信号を送受する構成とされており、電気錠ユニットとは、６線ないし７線式信号線を通じて接続されている。
【００１２】
請求項５に記載の電気錠アダプターでは、電気錠ユニットは、ソレノイドあるいはモータを駆動源とした電気錠を備えている。
【００１３】
請求項６に記載の電気錠施解錠制御システムでは、室内などに設置される電気錠操作制御器と、玄関先の門扉などに設置される電気錠ユニットとを、請求項１〜５のいずれかに記載の電気錠アダプターを介在させて接続している。
【００１４】
【発明の実施の形態】
以下に、本発明の実施の形態について、図面とともに説明する。図１は、本発明の電気錠アダプタの分解斜視図であり、図２（ａ）は壁面への取り付け後におけり正面図、図２（ｂ）はその側面図である。
【００１５】
この電気錠アダプタ装置は、本体部７と、カバープレート９と、取付枠１０と、埋め込みボックス１３とを有している。
【００１６】
本体部７は、大略直方体の箱体であって、解錠・施錠検知回路や電気錠制御回路、２線式の信号線に対して信号を送受する送受信回路等を実装したプリント基板を収納している。そして、本体部７は、裏面部７ａに２線式の信号線を接続する端子７ｂ，７ｂと、６線の信号線に接続するためのコネクタ７ｃを有している。
【００１７】
本体部７の両側面には、係合部８ａ，８ｂが立設してある。係合部８ａ，８ｂは、一面が取付枠１０の側を臨むようにして本体部７の側面に立設された板体であって端部には切欠き８ｃが設けて有る。この切欠き８ｃは、後述の取付枠１０の係合部１０ｅ，１０ｆに係合する形状となしてある。
【００１８】
カバープレート９は、大略板体であって、取付枠等壁内に取り付けた各部品が外部即ち室内に露出しないようにこれら部品を覆うようにして壁面に取り付けられるものである。カバープレート９の中央部分には本体部７の正面部７ｄと同形状の開口部９ａが設けてあり、本体部７の正面部７ｄが室内に露出するようになされている。また、カバープレート９の上下２箇所にネジ穴９ｂ，９ｃが設けてある。
【００１９】
取付枠１０は、カバープレート９よりやや小さい長方形の枠体であって、ＪＩＳ規格などで規格化されており、一般的にはコンセントやスイッチ等の配線器具を一又は複数個取り付けるものである。本実施の形態ではコンセント等を縦方向に３つ並べて取り付けることができるものであっていわゆる１コ用と称される取付枠を用いている。
【００２０】
取付枠１０にはカバープレート９のネジ穴９ｂ，９ｃと重合する位置に、ネジ穴１０ａ，１０ｂが設けてあり、更に、該ネジ穴１０ａ，１０ｂより内側に位置する部分にネジ穴１０ｃ，１０ｄが設けてある。また、取付枠１０の壁内側の面には、筐体７の係合部８ａ，８ｂと係合する係合部１０ｅ，１０ｆを有した取付部１０ｇ，１０ｈが立設されている。
【００２１】
埋め込みボックス１３は、正面部を開放した大略直方体の箱体であって、一方の側面部１３ａの上端部及び下端部を各々上方及び下方に延設した取付片１３ｂ，１３ｃを有している。取付片１３ｂ，１３ｃには各々ネジ穴１３ｄ，１３ｅが設けてある。また、上面部１３ｆ、下面部１３ｇ、他方の側面部１３ｈには、各々２線及び６線の信号線を挿通するための挿通穴１３ｉ，１３ｊ，１３ｋが設けてある。また、上面部１３ｆ及び下面部１３ｇの取付枠側には各々延設片１３ｌ，１３ｍが設けてあり、該延設片１３ｌ，１３ｍには取付枠１０のネジ穴１０ｃ，１０ｄと重合する位置にネジ穴１３ｎ，１３ｏが設けてある。
【００２２】
以上のようにして構成された電気錠アダプタＡにあっては、以下のようにして壁面に取り付けられる。
【００２３】
まず、予め開口部を設けた壁の内部において、ネジ穴１３ｄ，１３ｅにネジ１４ａ，１４ｂを螺合して、埋め込みボックス１３を壁内に螺着する。次に、２線式の信号線及び６線の信号線を挿通穴１３ｉ，１３ｊ，１３ｋのいずれかより挿通して埋め込みボックス１３内に導き、各々本体部７の裏面部７ａの端子７ｂ，７ｂとコネクタ７ｃに接続する。
【００２４】
そして、本体部７を取付枠１０の取付部１０ｇ，１０ｈに取り付ける。その後に取付枠１０のネジ穴１０ｃ，１０ｄと埋め込みボックス１３のネジ穴１３ｎ，１３ｏとを重合させて、ネジ１２ａ，１２ｂをネジ穴１０ｃ，１０ｄに螺合させ、該ネジ１２ａ，１２ｂでもって取付枠１０と埋め込みボックス１３とを螺着する。
【００２５】
最後に、ネジ穴９ｂ，９ｃと取付枠１０のネジ穴１０ａ，１０ｂとを重合させ、ネジ１１ａ，１１ｂをネジ穴９ｂ，９ｃに螺合して、カバープレート９を取付枠１０に螺着する。すると、本体部７の正面部７ｄがカバープレート９の開口部９ａから露出して、正面部７ｄとカバープレート９との表面が面一となる。以上により、取付が完了する。
【００２６】
以上のようにして構成した電気錠アダプターＡにあっては、壁面に配設することができるので、従来の天井裏等に電気錠アダプターＡが配設されている場合に較べて、保守者が保守を行う際に電気錠アダプターＡの配設位置を素早く見つけることができ、また容易に電気錠アダプターＡを取り出すことができる。
【００２７】
また、カバープレート９から本体部７の正面部７ｄが露出しているので、完全にカバープレートで覆われて収納されている場合に較べて、より保守者にとって電気錠アダプタ装置の配設位置を見つけだしやすいものとなっている。
【００２８】
更に、本体部７の正面部７ｄには、電気錠施解錠釦ｂ１や表示ランプＲ１，２を有し、これらが露出しているため、電気錠操作制御器Ｂと電気錠ユニットＣとの仲介をする従来の機能に加え、新規な機能を実行させることができる。
【００２９】
図３は、電気錠アダプターの内部構成の一例とともに、その使用態様について説明する図である。
【００３０】
本発明の電気錠アダプターＡの本体部７には、電気錠操作制御器Ｂを２線式信号線Ｌ１を通じて接続し、電気錠ユニットＣを６線式信号線Ｌ２（７線式信号線でもよい）を通じて接続して、電気錠施解錠制御システムが構成される。また、本体部７のマイコン７０には、扉や窓などの適所に設けた防犯センサなどの各種センサからの検知信号入力がなされるようになっている。
【００３１】
電気錠アダプターＡの本体部７は、この電気錠アダプターＡを制御して、本発明の制御信号処理部を構成するマイコン７０と、電気錠表示制御部を構成し、表示ランプＲ１，２を有する表示回路７１と、電気錠施解錠釦ｂ１を有する操作押釦回路７２と、電気錠操作制御器Ｂとの間で、伝送信号の送受をする伝送信号送受信回路７３と、電気錠ユニットＣに対する駆動信号を送出する駆動信号制御回路７４と、電気錠ユニットＣから送出されてくる電気錠施錠、解錠検知信号を入力する電気錠状態信号入力回路７５とを備える。ここに、表示ランプＲ１は扉開閉状態表示、表示ランプＲ２は電気錠施解錠状態表示のために用いられる、これらのランプＲ１，２とマイコン７０とで、本発明の電気錠制御表示部をも構成している。
【００３２】
このようなシステムにおいては、電気錠操作制御器Ｂからも、電気錠アダプタＡからも、電気錠ユニットＣの施解錠操作ができ、さらに、その施解錠状態が、電気錠操作制御器Ｂと電気錠アダプタＡの双方で表示される。また、各種センサからの検知信号入力有無により、扉や窓の開閉状態が電気錠アダプタＡに表示される。
【００３３】
電気錠アダプターＡにおいて、施解錠押釦ｂ１を操作すると、マイコン７０の制御により、駆動信号制御回路７４より電気錠ユニットＣに対して駆動信号を送出させ、モータや電磁ソレノイドなどで構成される電気錠Ｋの施解錠をさせる。
【００３４】
電気錠ユニットＣでは、電気錠Ｋの施解錠状態を検知し、リレーＳＷ１，２を制御して、施錠、解錠完了信号（状態変化信号）を電気錠アダプター２に送出する。これを電気錠アダプター２が受けると、電気錠状態信号入力回路７５を通じてマイコン７０に入力され、施解錠状態が表示ランプＲ２で表示される。
【００３５】
また、電気錠アダプター２では、各種センサからの検知信号を受けて表示ランプＲ１で扉や窓の開閉状態を表示する。例えば、センサが接点型センサで構成されている場合には、扉や窓が開けば接点が開き電圧Ｌレベルの検知信号が出力される一方、閉じれば接点が閉じて電圧Ｈレベルの検知信号が出力されるので、この電圧の違いをマイコン７０で判定し、扉や窓の開閉状態を判断し表示させる。
【００３６】
更に、このシステムでは、電気錠操作制御器１の操作によっても電気錠Ｋの施解錠や、電気錠操作制御器１における電気錠Ｋの施解錠表示もできるが、その信号処理などの各種処理は従来技術と同様であるため、説明を割愛する。
【００３７】
なお、扉の開閉状態を電気錠操作制御器Ｂにおいて表示するように、マイコン７０が検知信号を２線式信号線Ｌ１を通じて電気錠操作制御器Ｂに送出し、これを受けた電気錠操作制御器Ｂが扉や窓の開閉状態を表示する構成としてもよい。
【００３８】
【発明の効果】
以上の説明からも理解できるように、請求項１〜５に記載の電気錠アダプターでは、壁面より露出して設置される本体部の表面には、操作釦を設け、この操作釦の操作によって電気錠を駆動させるので、電気錠アダプターの保守点検の利便性を図るだけにとどまらず、埋め込みスペースの有効利用、電気錠施解錠制御の仲介以外の新規な機能を発揮することができる。
【００３９】
特に、請求項２に記載の電気錠アダプターでは、本体部の表面には電気錠制御表示部を更に設けており、本体部の電気錠状態検出回路が電気錠ユニットの電気錠から状態変化信号を受けると、電気錠制御表示部を表示制御するため、電気錠アダプタにおいて電気錠施解錠操作するだけにとどまらず、電気錠の施解錠状態をも確認でき、一層利便にできる。
【００４０】
また、請求項３に記載の電気錠アダプターでは、電気錠の施錠、解錠表示に加えて、扉の開閉表示をなすので、来客や住人がきちんと扉を閉めたかなどを容易に確認できる。
【００４１】
更に、請求項４に記載の電気錠アダプターでは、電気錠操作制御器に２線式信号線を通じて接続されて、電源供給を受けるとともに、制御に必要な制御信号を送受する構成とされており、電気錠ユニットとは、６線ないし７線式信号線を通じて接続されているので、電気錠アダプターには電源回路を搭載する必要がなく、２線式信号線対応の電気錠操作制御器と、６ないし７線式信号線対応の電気錠ユニットとを仲介して接続することができる。
【００４２】
請求項６に記載の電気錠施解錠制御システムでは、室内などに設置される電気錠操作制御器と、玄関先の門扉などに設置される電気錠ユニットとを、請求項１〜５のいずれかに記載の電気錠アダプターを介在させて接続しているので、請求項１〜５の効果を発揮するシステムを提供することができる。
【図面の簡単な説明】
【図１】本発明の電気錠アダプターの分解斜視図である。
【図２】本発明の電気錠アダプターの正面図と側面図とを示す。
【図３】電気錠アダプタの内部構成の一例とともに、使用態様の一例を示す図である。
【図４】従来の電気錠施解錠制御システムを示す図である。
【符号の説明】
Ａ・・・電気錠アダプアー
Ｂ・・・電気錠操作制御器
Ｃ・・・電気錠ユニット
７・・・本体部
７ｄ・・・本体部の表面
７０・・・マイコン
７１・・・表示回路
７２・・・操作押釦回路
７３・・・伝送信号送受信回路
７４・・・駆動信号制御回路
７５・・・電気錠状態信号入力回路
ｂ１・・・操作釦
Ｒ１，Ｒ２・・・表示ランプ
Ｋ・・・電気錠
Ｌ１・・・２線式信号線
Ｌ２・・・６線式信号線
【図１】
2004353189.tif 000003
【図２】
2004353189.tif 000004
【図３】
2004353189.tif 000005
【図４】
2004353189.tif 000006